(57)【要約】      （修正有）【課題】  電子データを簡易に外部装置に送る。【解決手段】  携帯端末１０は、電子データの内容を表示可能なディスプレイ１１と、電子データを記憶することができ、記憶された電子データは外部装置３０により近距離無線通信で取得可能であるメモリ１２の外部送信用領域と、ディスプレイ１１に電子データの内容を表示させる制御を行い、同じタイミングでメモリ１２の外部送信用領域に当該電子データを記憶させる制御を行う制御部１３とを備える。【選択図】  図１
2006059031.tif 000002
【特許請求の範囲】
【請求項１】
電子データの内容を表示可能な表示部と、
前記電子データを記憶することができ、当該記憶された電子データは外部装置により近距離無線通信で取得可能である記憶部と、
前記表示部に電子データの内容を表示させる制御を行い、同じタイミングで前記記憶部に当該電子データを記憶させる制御を行う制御手段と、
を備える携帯端末。
【請求項２】
電子データの内容を表示可能な表示部と、
前記電子データを記憶することができ当該記憶された電子データは外部装置により近距離無線通信で取得可能である脱着式の記憶装置を接続することができる接続部と、
前記表示部に電子データの内容を表示させる制御を行い、同じタイミングで前記接続部に接続された記憶装置に当該電子データを記憶させる制御を行う制御手段と、
を備える携帯端末。
【請求項３】
前記外部機器による電子データの取得は、当該外部機器からの要求に応じて当該電子データを送信することによることを特徴とする請求項１又は２に記載の携帯端末。
【請求項４】
電子データの内容を表示可能な表示部と、
前記電子データを記憶することができる記憶部と、
前記表示部に電子データの内容を表示させる制御を行い、同じタイミングで前記記憶部に当該電子データを記憶させる制御を行う制御手段と、
前記記憶部に記憶された電子データを外部装置に近距離無線通信で送信する送信手段と、
を備える携帯端末。
【請求項５】
電子データの内容を表示可能な表示部と、
前記電子データを記憶することができる脱着式の記憶装置を接続することができる接続部と、
前記表示部に電子データの内容を表示させる制御を行い、同じタイミングで前記接続部に接続された記憶装置に当該電子データを記憶させる制御を行う制御手段と、
前記接続部に接続された記憶装置に記憶された電子データを外部装置に近距離無線通信で送信する送信手段と、
を備える携帯端末。
【請求項６】
電子データの内容を表示可能な表示部と、
前記電子データを記憶することができ当該電子データを外部装置に近距離無線通信で送信することができる脱着式の記憶装置を接続することができる接続部と、
前記表示部に電子データの内容を表示させる制御を行い、同じタイミングで前記接続部に接続された記憶装置に当該電子データを記憶させる制御を行う制御手段と、
を備える携帯端末。
【請求項７】
前記記憶部は脱着可能な構成であることを特徴とする請求項１又は４に記載の携帯端末。
【発明の詳細な説明】
【技術分野】
【０００１】
本発明は、電子データを記憶することができる携帯端末に関する。
【背景技術】
【０００２】
従来から、携帯端末に保持された電子データ、例えば画像データを外部装置に送信する技術が提案されている（例えば、下記特許文献１参照）。
【特許文献１】特開２００３−１４１５０４号公報
【発明の開示】
【発明が解決しようとする課題】
【０００３】
しかしながら、画像データのような電子データを外部装置に送信する場合、ユーザは、通常、送信する画像データの確認するために画像データを選択して表示するという操作を行いその後外部装置に送信するという操作を行うことが必要となっていた。
【０００４】
本発明は上記課題を解決するために成されたものであり、電子データを簡易に外部装置に送ることができる携帯端末を提供することを目的とする。
【課題を解決するための手段】
【０００５】
上記目的を達成するために、本発明に係る携帯端末は、電子データの内容を表示可能な表示部と、電子データを記憶することができ、当該記憶された電子データは外部装置により近距離無線通信で取得可能である記憶部と、表示部に電子データの内容を表示させる制御を行い、同じタイミングで記憶部に当該電子データを記憶させる制御を行う制御手段と、を備えることを特徴とする。
【０００６】
本発明に係る携帯端末では、電子データは携帯端末のユーザによる内容の確認等のために表示部に表示されれば記憶部に記憶され、外部装置によって取得されうる。従って、表示さえ行えば電子データを送ることが可能となり、簡易に電子データを外部装置に送ることができる。
【０００７】
また、携帯端末は、電子データの内容を表示可能な表示部と、電子データを記憶することができ当該記憶された電子データは外部装置により近距離無線通信で取得可能である脱着式の記憶装置を接続することができる接続部と、表示部に電子データの内容を表示させる制御を行い、同じタイミングで接続部に接続された記憶装置に当該電子データを記憶させる制御を行う制御手段と、を備えることを特徴とする。
【０００８】
上記の携帯端末では、電子データは携帯端末のユーザによる内容の確認等のために表示部に表示されれば脱着式の記憶装置に記憶され、外部装置によって取得されうる。従って、表示さえ行えば電子データを送ることが可能となり、簡易に電子データを外部装置に送ることができる。
【０００９】
また、より具体的には、外部機器による電子データの取得は、当該外部機器からの要求に応じて当該電子データを送信することによることが望ましい。この構成によれば、外部機器による電子データの取得について従来技術等を適用して、本発明の容易な実施が可能である。
【００１０】
また、携帯端末は、電子データの内容を表示可能な表示部と、電子データを記憶することができる記憶部と、表示部に電子データの内容を表示させる制御を行い、同じタイミングで記憶部に当該電子データを記憶させる制御を行う制御手段と、記憶部に記憶された電子データを外部装置に近距離無線通信で送信する送信手段と、を備えることを特徴とする。
【００１１】
上記の携帯端末では、電子データは携帯端末のユーザによる内容の確認等のために表示部に表示されれば記憶部に記憶され、外部装置に送信されうる。従って、表示さえ行えば電子データを送ることが可能となり、簡易に電子データを外部装置に送ることができる。
【００１２】
また、携帯端末は、電子データの内容を表示可能な表示部と、電子データを記憶することができる脱着式の記憶装置を接続することができる接続部と、表示部に電子データの内容を表示させる制御を行い、同じタイミングで接続部に接続された記憶装置に当該電子データを記憶させる制御を行う制御手段と、接続部に接続された記憶装置に記憶された電子データを外部装置に近距離無線通信で送信する送信手段と、を備えることを特徴とする。
【００１３】
上記の携帯端末では、電子データは携帯端末のユーザによる内容の確認等のために表示部に表示されれば脱着式の記憶装置に記憶され、外部装置に送信されうる。従って、表示さえ行えば電子データを送ることが可能となり、簡易に電子データを外部装置に送ることができる。
【００１４】
また、携帯端末は、電子データの内容を表示可能な表示部と、電子データを記憶することができ当該電子データを外部装置に近距離無線通信で送信することができる脱着式の記憶装置を接続することができる接続部と、表示部に電子データの内容を表示させる制御を行い、同じタイミングで接続部に接続された記憶装置に当該電子データを記憶させる制御を行う制御手段と、を備えることを特徴とする。
【００１５】
上記の携帯端末では、電子データは携帯端末のユーザによる内容の確認等のために表示部に表示されれば脱着式の記憶装置に記憶され、外部装置に送信されうる。従って、表示さえ行えば電子データを送ることが可能となり、簡易に電子データを外部装置に送ることができる。
【００１６】
また、記憶部は脱着可能な構成であることとするのが望ましい。この構成によればより広い態様での本発明の実施が可能となる。
【発明の効果】
【００１７】
本発明によれば、表示さえ行えば電子データを送ることが可能となり、簡易に電子データを送ることができる。
【発明を実施するための最良の形態】
【００１８】
以下、図面を参照しながら、本発明に係る携帯端末の各種の実施形態について説明する。なお、図面の説明においては同一要素には同一符号を付し、重複する説明を省略する。
【００１９】
［第１実施形態］
図１に、第１実施形態における携帯端末１０の構成を示す。携帯端末１０は、電子データを記憶することができ、具体的には例えばメモリが搭載された携帯電話機、デジタルカメラ等が相当する。電子データは、具体的には画像データ、動画データ、メールデータやＨＴＭＬ（Hyper Text Markup Language）データ等の文書データ、アラーム設定情報等のシステム情報などが相当する。また、携帯端末１０は近距離無線通信機能を有しており、外部装置３０と近距離無線通信を行うことが可能である。外部装置３０は、近距離無線通信機能、具体的には例えば非接触ＩＣチップに対してデータの読書きを可能とする機能を有している。外部装置３０としては、非接触リーダライタ装置、あるいは近距離無線通信機能を有した別の携帯端末等が相当する。
【００２０】
図１に示すように、携帯端末１０は、ディスプレイ（表示部）１１と、メモリ１２と、制御部（制御手段）１３と、近距離無線通信部１４と、カメラ部１６とを備える。
【００２１】
ディスプレイ１１は、液晶等を用いて構成され、制御部１３の制御を受けて、電子データの内容を表示する。
【００２２】
メモリ１２は、電子データを記憶する。また、メモリ１２は、図２に示すように外部送信用の領域（記憶部）１２ａと、その他の領域（例えば、メール用領域１２ｂ、画像用領域１２ｃ及び電話帳用領域１２ｄ等）とを含んで構成されている。特に、外部送信用の領域１２ａに記憶された電子データは、外部装置３０により近距離無線通信で取得可能である。具体的な取得方法は後述する。なお、メモリ１２は、具体的には例えばＩＣチップ等により構成されることが好ましい。
【００２３】
制御部１３は、ディスプレイ１１に電子データの内容を表示させる制御を行う。また、制御部１３は、表示の制御と同じタイミングでメモリ１２の外部送信用領域１２ａに表示した電子データを記憶させる制御を行う。また、制御部１３は、携帯端末１０の機能全体についての制御も行う。制御部１３の機能は、携帯端末１０が備えるＣＰＵ等により実現される。
【００２４】
近距離無線通信部１４は、外部装置３０との間の近距離無線通信を行う。近距離無線通信は具体的には、ＩｒＤＡ（Infrared Data Association）のような赤外線によるものや、非接触ＩＣカード、Ｂｌｕｅｔｏｏｔｈのような電波によるものを用いるのがよい。また、複数の方法による近距離無線通信を可能としてもよい。その場合、予めどの近距離無線通信を用いるのか設定することができることとしておくのが好ましい。
【００２５】
カメラ部１６は、レンズ及び半導体素子等により構成され、映像を電気信号に変換し電子データ（画像データ）とする。本実施形態においては、カメラ部１６は電子データの取得手段の例としているが、他の手段（例えば、別の装置から受信する等）により電子データが取得されてもよい。
【００２６】
以下、図３のシーケンス図を用いて本実施形態における携帯端末１０により実行される処理を説明する。本処理は、電子データが携帯端末１０から外部装置３０に送られる際に実行される処理である。なお、外部装置３０に送られる電子データは、携帯端末１０がカメラ部１６の機能等により予め取得しているものである。
【００２７】
まず、携帯端末１０では、制御部１３が、メモリ１２の外部送信用領域１２ａ以外の領域に記憶された電子データを読み出し、ディスプレイ１１に表示する制御を行う。制御を受けたディスプレイ１１はその電子データを表示する（Ｓ０１）。制御部１３による一連の制御は、電子データを外部装置３０に送りたいと考える携帯端末１０のユーザの操作等をトリガとして行われる。
【００２８】
続いて、制御部１３は、当該読み出した電子データをメモリ１２の外部送信用領域１２ａに記憶させる制御を行う。制御を受けた外部送信用領域１２ａはその電子データを記憶する（Ｓ０２）。外部送信用領域１２ａにその電子データを記憶させる際には、それまでに記憶される電子データを消去しその電子データのみを記憶させる（上書き保存する）こととするのがよい。この構成によれば、ディスプレイ１１に表示される電子データのみを外部装置３０に送ることができる。また、予め記憶するデータ数の情報を保持しておき、その数の電子データを記憶させておくこととしてもよい。このように、所定数の電子データを記憶させる場合（具体例としては、画像１枚に対応する画像データを３つ、即ち３枚の画像に対応する電子データを記憶させる場合）は、例えば電子データを外部送信用領域１２ａに新たに記憶させる際に、その時点で所定数の数の電子データを記憶されていたらそのうち最も古い電子データ（最も早い時刻に記憶された電子データ）を消去することとすればよい。この構成によれば、ディスプレイ１１に表示された複数の電子データを外部装置３０に送ることができる。
【００２９】
なお、電子データを外部送信用領域１２ａに記憶させるタイミングは、上記の説明では表示された後としているが、先に外部送信用領域１２ａに記憶させておき後に表示を行うこととしてもよい。表示される電子データが外部装置３０により取得可能な状態となればよい。
【００３０】
引き続いて、外部装置３０が携帯端末１０の外部送信用領域１２ａに記憶された電子データを以下のように取得する。外部装置３０は、近距離無線通信ができる距離の範囲、例えば無線の電波が届く１０ｃｍ四方に近距離無線通信の接続要求又は機器探索の信号を常に発信している。携帯端末１０が上記の近距離無線通信ができる距離の範囲に入ると、近距離無線通信部１４がその接続要求の信号に対して応答を行う。続いて、外部装置３０と携帯端末１０との間で、認証コマンドの送受信等が行われ近距離無線通信が確立される（Ｓ０３）。続いて、外部装置３０から携帯端末１０に対して電子データの要求が行われ（Ｓ０４）、その要求に応じて外部送信用領域１２ａに記憶された電子データが外部装置３０に送信される（Ｓ０５）。ここで、外部装置３０は外部送信用領域１２ａに記憶されている電子データを参照し、取得していない電子データのみを要求することとしてもよい。なお、上記の処理は、非接触ＩＣと非接触リーダライタとの間の一般的なデータ送信の処理と同様であり、上記以外の近距離無線通信により自動的にデータ送信がなされる処理が適用されてもよい。
【００３１】
上記のように本実施形態における携帯端末１０では、電子データの表示さえ行えば電子データを送ることが可能となる。また、携帯端末１０を外部装置３０との近距離無線通信が可能な範囲に位置させれば、実際に外部装置３０による電子データの取得も行われる。このように、本実施形態における携帯端末１０を用いることとすれば、簡易に電子データを外部装置３０に送ることができる。
【００３２】
本実施形態では、携帯端末１０と外部送信用領域１２ａとは一体となっている構成をとっているが、携帯端末１０に接続可能な脱着式の記憶装置が、外部送信用領域１２ａを備えていてもよい。その態様の携帯端末４０を図４に示す。
【００３３】
図４に示すように、携帯端末４０は、ディスプレイ１１と、メモリ１２と、制御部１３と、近距離無線通信部１４と、カメラ部１６と、接続部１５とを備える。接続部１５は、脱着式カード２０を接続することができ、脱着式カード２０との間のデータの送受信を行う。
【００３４】
また、脱着式カード２０は、メモリ２１とＩＣチップ２２とを備える。メモリ２１は、上記した実施形態における携帯端末１０に備えられるメモリ１２と同様の機能及び構成をとり、外部送信用領域を有している。ＩＣチップ２２は、メモリ２１が携帯端末１０に備えられるメモリ１２と同様の機能となるよう、携帯端末４０とのデータの送受信及び制御を行う。
【００３５】
なお、近距離無線通信を行う機能は、脱着式カード２０に備えられていて、外部装置３０と脱着式カード２０との間で近距離無線通信が行われてもよい。
【００３６】
［第２実施形態］
第１実施形態では、電子データは外部装置３０の要求等をトリガとして外部装置３０に送られていたが、以下に説明するように、携帯端末５０から能動的に送信することとしてもよい。
【００３７】
図５に示すように、第２実施形態における携帯端末５０は、ディスプレイ１１と、メモリ１２と、制御部１３と、近距離無線通信部１４と、カメラ部１６と、送信部（送信手段）１７を備える。
【００３８】
ディスプレイ１１、メモリ１２、制御部１３、近距離無線通信部１４及びカメラ部１６の機能は第１実施形態と同じである。送信部１７は、メモリ１２の外部送信用領域１２ａに記憶された電子データを外部装置３０に近距離無線通信で送るよう、近距離無線通信部１４に対して制御を行う。メモリ１２の外部送信用領域１２ａに記憶された電子データは、制御部１３を介して取得する。
【００３９】
以下、図６のシーケンス図を用いて本実施形態における携帯端末５０により実行される処理を説明する。まず、第１実施形態と同様の処理（Ｓ０１，Ｓ０２）で、電子データが外部送信用領域１２ａに記憶される。
【００４０】
引き続いて、外部装置３０が携帯端末５０の外部送信用領域１２ａに記憶された電子データを以下のように取得する。携帯端末５０では、近距離無線通信部１４が、近距離無線通信ができる距離の範囲、例えば無線の電波が届く１０ｃｍ四方に近距離無線通信の接続要求又は機器探索の信号を発信する。外部装置３０が上記の近距離無線通信ができる距離の範囲に入るあるいは存在していると、外部装置３０はその接続要求の信号を受信し応答を行う。続いて、外部装置３０と携帯端末５０との間で、認証コマンドの送受信等が行われ近距離無線通信が確立される（Ｓ１３）。続いて、携帯端末５０では、送信部１７が外部送信用領域１２ａに記憶された電子データが外部装置３０に送信するよう制御を行い、電子データが外部装置３０に送信される（Ｓ１４）。ここで、携帯端末５０は送信した電子データを記憶しておき、送信していない電子データのみを送信することとしてもよい。なお、上記の処理は、例えばＮＦＣ（Near Field Communication）に準拠したＮＦＣ対応携帯端末同士間の一般的なデータ送信の処理と同様であり、上記以外の近距離無線通信により自動的にデータ送信がなされる処理が適用されてもよい。
【００４１】
上記のような構成の携帯端末５０でも、簡易に電子データを外部装置３０に送ることができる。
【００４２】
なお、第１実施形態と同様、携帯端末５０に接続可能な脱着式カード２０が、外部送信用領域１２ａを備えていてもよい。更に、上記した近距離無線通信を行う機能（近距離無線通信部１４の機能）や電子データを近距離無線通信で外部機器に送信する機能（送信部１７の機能）は、脱着式カード２０（例えば脱着式カード２０が備えるＩＣチップ２２）に備えられていてもよい。
【図面の簡単な説明】
【００４３】
【図１】第１実施形態における携帯端末の構成を示す図である。
【図２】メモリの構成を示す図である。
【図３】第１実施形態において携帯端末及び外部装置で実行される処理を示すシーケンス図である。
【図４】第１実施形態における携帯端末の別の例の構成を示す図である。
【図５】第２実施形態における携帯端末の構成を示す図である。
【図６】第２実施形態において携帯端末及び外部装置で実行される処理を示すシーケンス図である。
【符号の説明】
【００４４】
１０，４０，５０…携帯端末、１１…ディスプレイ、１２…メモリ、１２ａ…外部送信用領域、１３…制御部、１４…近距離無線通信部、１５…接続部、１６…カメラ部、１７…送信部、２０…脱着式カード、２１…メモリ、２２…チップ、３０…外部装置。
【図１】
2006059031.tif 000003
【図２】
2006059031.tif 000004
【図３】
2006059031.tif 000005
【図４】
2006059031.tif 000006
【図５】
2006059031.tif 000007
【図６】
2006059031.tif 000008